(57)【要約】      （修正有）【課題】マスク本体により人々の口から飛散される呼気を直接受けず、また、マスク本体を上下に動かすことで、マスクを着けたまま飲食、会話することを可能にするマスクを提供する。【解決手段】マスク１は、透明のクリアフアイルでマスク本体２及びマスクの支え３を作成する。自分の口から飛散される呼気がマスク本体２に当たることにより相手に直接放射せず、相手の口から飛散された呼気も装着者のマスク本体２に当たることで、これを正面から受けずにすむと共に、また、透明のマスク本体２と透明のマスク支え３とをハトメ４で接合することで、飲食物を明確に認識し、かつ、マスク本体２を上下に自由に動かすことにより、或いはそのままの状態で飲食物を口に運ぶことを可能にし、ハトメ４の穴に通したゴム紐の長さを装着者の顔の大きさに合わせて自由に調節し、耳にかけたり、頭の後ろからかけたりすることで、飲食店が不特定の客に無償で提供できる使い捨て用マスク１として役立つ。【選択図】図３
0003227899.tif 000002
【実用新案登録請求の範囲】
【請求項１】
他人への呼気の飛散を防止し、併せて他人が飛散した呼気の吸引を防止することが出来ると共に、かつ口前展開部のマスク本体を上下に動かすことで、或いは前記マスク本体をそのままの状態にして、食べ物や飲み物を前記マスク本体の下や上から口に運ぶことが出来るためのマスクであって、口前展開部の前記マスク本体と、
この前記マスク本体を顔に接合させるために鼻の上にかけると共に、口前展開部において前記マスク本体をＶ字型に形作るマスク支えと、
前記マスク本体を顔に装着するために両耳に掛けるゴム紐を備えて成り、前記マスク本体は、透明かつそれ自体のＶ字型の形態を保持できる程度の形状安定性を有し、
前記マスク支えも透明かつ前記マスク本体のＶ字型形態を保持するための強度を有し、
前記口前展開部は、数ｃｍ先の鼻前から左右の耳に向かって、Ｖ字形に形成され、
前記マスク支えを鼻の上にかけ、かつ左右の穴に通して結んだ前記ゴム紐を両耳にかけ、又は結んで頭からかけることで装着することを特徴とするマスク。
【請求項２】
前記マスク本体と前記マスク支えとは透明のクリアフアイルで作られていて、呼気の飛散、吸入を遮断すると共に安価に製作が出来ることで使い捨て用のマスクであることを特徴とする請求項１のマスク。
【請求項３】
前記マスク本体と前記マスク支えとは透明のクリアフアイルで作られていて、目の前の飲食物を明確に認識できると共に、前記マスク本体と前記マスク支えとがハトメによって接合されていて、前記マスク本体を上下に動かし、又はそのままの状態で、マスクを装着しながら容易に飲食が可能なことを特徴とする請求項１のマスク。
【請求項４】
前記マスク本体の装着は、前記マスク本体と前記マスク支えとを接合するハトメの穴に通したゴム紐を耳に掛け、又はゴム紐同士を頭の後ろで結んで頭からかけることで行うが、各ゴム紐を結び直す事によりその長さを自由に調節することが出来、自分の顔に合わせた長さのマスクとすることが可能であることを特徴とする請求項１のマスク。
【考案の詳細な説明】
【技術分野】
【０００１】  本校案は、他人への呼気の飛散を防止し、また他人が飛散した呼気を吸引することを防止すると共に、マスク本体を上下に動かし、又はそのままの状態で、飲食が容易にできるためのマスクに関するものである。
【背景技術】
【０００２】  マスクを顔面に密着させずに、他人への呼気の飛散を防止する為の従来の技術としては、例えば特許文献１や２に示すようなものがある。
すなわち、特許文献１の特開２００５‐１８５３８１公報には、マスクの顎あて部を顎に当てて装着するものが開示されている。
また、特許文献２の特開２０１２‐１５７７８１公報においても、マスクの顎あて部を顎に当てて装着するものが開示されている。
【先行技術文献】
【特許文献】
【０００３】
【特許文献１】特開２００５‐１８５３８１公報
【特許文献２】特開２０１２‐１５７７８１公報
【考案の概要】
【考案が解決しようとする課題】
【０００４】  しかしながら、このような従来の技術では、飲食物を口に運ぶには非常に不便で、かつ継続して使用することを目的としていることにより製造原価が高く、飲食店が客へのサービスとして無償で提供するための使い捨て用マスクとして活用するために、安価に製作するには適していないという問題点があった。【０００５】  本校案は、このような従来の技術が有する問題点に着目してなされたもので、軽量・透明・安価（マスク１個の材料費・包装費計１０円未満）でかつ口前展開部が上下とも解放されていて、長時間装着しても息苦しくなく、簡便に装着出来、他人への呼気の飛散を防止すると共に、他人が飛散した呼気を直接吸引することを防止し、かつマスク本体を上下に動かすことにより、又はそのままの状態で、マスク本体の下や上から飲食物を口に運ぶことが出来ることを目的としている。
【課題を解決するための手段】
【０００６】  かかる目的を達成するための本校案の要旨とするところは、次の各項の考案に存する。
［１］他人への呼気の飛散を防止し、他人が飛散した呼気の吸引を防止するためのマスク（１）であって、マスク本体（２）とマスク支え（３）及びハトメ（４）とこの穴に通して耳に掛けるゴム紐（５）とからなり、前記マスク本体（２）は、透明のクリアフアイル（ポリプロビレン製）を二つ折りにしたものでそれ自体のＶ字型の形態を保持できる程度の形状安定性を有し、
前記マスク支え（３）は鼻の上にかけて前記マスク本体（２）を顔に接合させるもので、約２ｃｍ幅の透明のクリアフアイル（ポリプロビレン製）を細長く帯状に切断したもので、前記マスク本体（２）より約７ｃｍ短い長さで切られ、マスク本体（２）のＶ字型形態を保持できる程度の形状安定性を有し、
これら前記マスク本体（２）の上部とマスク支え（３）とはそれぞれ両端をハトメ（４）によって接合されることによって、前記マスク本体（２）が口前展開部においてＶ字型を形成し、
この両側のハトメ（４）の穴に通したゴム紐（５）を両耳にかけ、或いはこのゴム紐（５）を結んで頭の後ろからかけることによって装着することを特徴とするマスク（１）。【０００７】  ［２］前記マスク本体（２）と前記マスク支え（３）とは、ハトメ（４）で接合されていて、前記マスク本体（２）を上下に動かすことにより、又はそのままの状態で、マスク本体（２）の下や上から飲食物を口の中に運ぶことが出来ることを特徴とする項１に記載のマスク（１）。【０００８】  ［３］前記ゴム紐（５）は、ハトメ（４）の左右の穴にそれぞれ通して結ばれていて、長さ調節のために左右それぞれ簡単に結び直して耳に掛けることが出来ると共に、或いはこれら前記ゴム紐（５）を一本に結んで、それを頭の後ろからかけることによって装着者の頭の大きさに合わせて前記ゴム紐（５）の長さを自由に調節することを特徴とする項１に記載のマスク（１）
【考案の効果】
【０００９】  本校案に係るマスクによれば、装着したときマスク本体が顔面から離間した状態になり、かつ口前展開部は上下とも空いているので、口や鼻が開放的になり、長時間装着しても息苦しくなく、会話もしやすく、またマスク本体を上下に動かし或いはそのままの状態で、飲食物をマスクの下や上から口に運ぶことが出来るので、外食時に会話する場合に使用者の呼気が飛散することや他人より飛散された呼気を吸引するのを効果的に防止することが出来る。
【図面の簡単な説明】
【００１０】
【図１】本校案の一実施の形態に係るマスクの装着状態を示す正面図である。
【図２】本校案の一実施の形態に係るマスクの装着状態を示す側面図である。
【図３】本校案の一実施の形態に係るマスクの装着状態を示す斜視図である。
【考案を実施するための形態】
【００１１】  マスク本体とマスクの支えとは、ハトメによって接合されていて、マスク本体を上下に容易に動かせるものとなっている。よって食事する場合においては、マスクを上下に動かし又はそのままの状態で容易に食事が可能で、また会話時においてはマスクを元の位置に戻すことにより、自分の呼気が他人に直接放射されることや他人の呼気を直接受けることを気にすることなく会話が楽しめる。耳に掛けるゴム紐は左右ともこのハトメの穴に通して結ばれていることから、顔の大きさに合わせてゴム紐の長さを自由に調節し、或いは一方の長い方のゴム紐の先を他方のゴム紐と一本に結んで頭の後ろからかけることができるようになっている。
【実施例】
【００１２】  以下、添付図面に従って一実施例を説明する。透明のクリアフアイルを切断して形成されたマスク本体２を、マスク本体２の内側に接合されたマスクの支え３で支え、このマスク支え３を鼻にかけることで、装着時にマスク本体２が口前展開部でＶ字型を形成し、このマスク１の左右につけられたゴム紐５を耳にかけてこのマスク１を装着する。マスク本体２はマスクの支え３とハトメ４で接合されていることから上下に自由に動かすことが出来、ゴム紐５はハトメ４の穴を通して結ばれているので長さを自由に調節して耳に掛け、或いはこれらゴム紐５を一本に結んで頭の後ろからかけて装着することが出来る。
【符号の説明】
【００１３】１  マスク
２  マスク本体
３  マスクの支え
４  ハトメとその穴
５  ゴム紐
【図１】
0003227899.tif 000003
【図２】
0003227899.tif 000004
【図３】
0003227899.tif 000005